(57)【特許請求の範囲】
【請求項１】
ノズルから液滴を吐出する矩形の液滴吐出ヘッドに、該液滴吐出ヘッドの短辺部に沿った方向に長辺部の一部から突起する突起部を設け、前記突起部が前記液滴吐出ヘッドの長辺部に沿った方向に並ぶように複数の液滴吐出ヘッドを配列する液滴吐出ヘッドアレイであって、別体の電気配線部材の外部接続端子と電気的に接続する被接続端子が前記液滴吐出ヘッドに設けられている液滴吐出ヘッドアレイにおいて、
前記被接続端子を前記突起部に設け、
前記突起部が設けられている長辺部が向き合うように前記液滴吐出ヘッド同士を対向させるとともに、対向させて配置した前記液滴吐出ヘッドの前記被接続端子同士が同一直線上に並ぶように前記複数の液滴吐出ヘッドを配列したことを特徴とする液滴吐出ヘッドアレイ。
【請求項２】
請求項１記載の液滴吐出ヘッドアレイにおいて、
前記被接続端子同士が前記液滴吐出ヘッドの長辺部に沿った方向に並ぶように配列することを特徴とする液滴吐出ヘッド。
【請求項３】
請求項２記載の液滴吐出ヘッドアレイにおいて、
前記各液滴吐出ヘッドを互い違いに配置することを特徴とする液滴吐出ヘッドアレイ。
【請求項４】
請求項１記載の液滴吐出ヘッドアレイにおいて、
前記突起部を前記液滴吐出ヘッドの長辺部の端部に設けて平面形状がＬ字形状となる前記液滴吐出ヘッドを構成することを特徴とする液滴吐出ヘッドアレイ。
【請求項５】
請求項４記載の液滴吐出ヘッドアレイにおいて、
向き合う一方のＬ字形状の前記液滴吐出ヘッドの長辺部に沿った方向と平行な前記突起部の端部を、他方のＬ字形状の前記液滴吐出ヘッドの前記突起部が設けられている長辺部の端部に向き合わせて、液滴吐出ヘッド対を形成することを特徴とする液滴吐出ヘッドアレイ。
【請求項６】
請求項５記載の液滴吐出ヘッドアレイにおいて、
複数の前記液滴吐出ヘッド対を、前記液滴吐出ヘッド対の長手方向に沿って平行に配置することを特徴とする液滴吐出ヘッドアレイ。
【請求項７】
請求項５記載の液滴吐出ヘッドアレイにおいて、
複数の前記液滴吐出ヘッド対を、前記液滴吐出ヘッド対の長手方向に沿って互い違いに配置することを特徴とする液滴吐出ヘッドアレイ。
【請求項８】
請求項１記載の液滴吐出ヘッドアレイにおいて、
前記電気配線部材の配線基板は、リジット配線基板であることを特徴とする液滴吐出ヘッドアレイ。
【請求項９】
請求項１記載の液滴吐出ヘッドアレイにおいて、
前記突起部の片面又は両面に前記被接続端子を設けることを特徴とする液滴吐出ヘッドアレイ。
【請求項１０】
請求項１〜９のいずれか１項に記載の液滴吐出ヘッドアレイの各液滴吐出ヘッドから記録液を吐出して記録材に画像を形成することを特徴とする画像形成装置。
【発明の詳細な説明】
【技術分野】
【０００１】
本発明は、複数のノズルから記録媒体にインク滴を吐出して文字や画像等を記録する液滴吐出ヘッドを複数配置して構成する液滴吐出ヘッドアレイ、及び、これを用いて各ノズルから記録材に対して液滴を吐出して画像を形成するインクジェット方式の画像形成装置に関するものである。
【背景技術】
【０００２】
この種の液滴吐出ヘッドアレイにおける液滴吐出ヘッドは、例えば、複写機、プリンタ、ファクシミリ、プロッタ等の画像形成装置の記録ヘッドとして用いられる。ここでいう画像形成装置は、記録材上に画像を形成するものであるが、その記録材の材質は紙に限定されるものではなく、糸、繊維、布帛、皮革、金属、プラスチック、ガラス、木材、セラミックス等のあらゆる記録材に液体を吐出して画像形成を行う装置を意味する。そして、画像形成とは、文字や図形等の意味を持つ画像を記録材に対して付与することだけでなく、パターン等の意味を持たない画像を記録材に付与する（単に液滴を吐出する）ことをも意味する。また、液滴として吐出される液体は、所謂インクに限るものではなく、吐出されるときに液体となるものであれば特に限定されるものではなく、例えばＤＮＡ試料、レジスト、パターン材料なども含まれる。
【０００３】
近年、液滴吐出ヘッドを搭載した液滴吐出装置に代表されるインクジェット記録装置では高画質な画像を出力することが求められている。その要望に応えるインクジェット記録装置として、複数のインクジェット記録ヘッド（以下記録ヘッドと称す）を高密度に配列したインクジェット記録ヘッドアレイ（以下記録ヘッドアレイと称す）を有するインクジェット記録装置が特許文献１に記載されている。この特許文献１のインクジェット記録装置における記録ヘッドアレイは、平面形状が矩形をなす複数の記録ヘッドの長辺部を向き合わせた上で互い違いに並列配置した、いわゆる千鳥配置して構成されている。このような千鳥配置の記録ヘッドアレイにおいて、複数列の配置となるため、記録ヘッドの短辺部に沿った方向のヘッドアレイ全体の幅（以下ヘッドアレイ幅と称す）は複数の記録ヘッドを一列に配置した場合の記録ヘッドアレイに比べて大きくなる。それに伴い、千鳥配置の記録ヘッドアレイを有するインクジェット記録装置全体のサイズも大きくなってしまう。
【０００４】
このような装置の大型化は、各色毎の記録ヘッドアレイが被記録媒体の搬送方向に沿ってそれぞれ設けられているカラーのインクジェット記録装置では更に顕著となる。また、カラーのインクジェット記録装置では先行して吐出し被記録媒体上に着弾した先行色の液滴に、後続色の液滴を重ねて着弾させて多色を再現している。そして、各色毎の記録ヘッドアレイで構成されるカラーのインクジェット記録装置では、各色毎の記録ヘッドアレイ間の離間距離を考慮した断続的な吐出タイミングで先行色の液滴に後続色の液滴を重ねて着弾させている。上述のように、記録ヘッドアレイのヘッドアレイ幅がそれぞれ大きくなると、隣接する記録ヘッドアレイにおける各記録ヘッドの対応し合うノズル間の離間距離も大きくなる。このため、連続な吐出タイミングの制御に比して複雑な制御である断続的な吐出タイミングがより複雑となる。吐出タイミングが少しでもずれると、先行色と後続色との重なりがずれて色ズレ等の問題が生じる。よって、記録ヘッドアレイのヘッドアレイ幅が大きくなることは高画質記録を実行する上でも障害となる。従って、記録ヘッドアレイではヘッドアレイ幅をできるだけ小さくし、記録ヘッドアレイ間の離間距離を小さくすることが重要となる。
【０００５】
記録ヘッドは、インクを貯留するインク液室内を昇圧することで、インク液室の一部を構成するノズル板に設けられたノズルからインク滴を吐出する。そして、インク液室内を昇圧するためにインク液室の一部の内壁には振動板が設けられ、この振動板には変位を付与する圧電部材等のアクチュエータ手段が設けられている。また、記録ヘッドには、アクチュエータ手段に吐出信号等の駆動信号を供給するための被接続端子が設けられている。そして、この被接続端子には電気配線部材の外部接続端子が電気的に接続され、接続後の電気配線部材は上記吐出信号等の駆動信号を出力するＩＣチップに接続される。
【０００６】
上記特許文献１のような、複数の記録ヘッドを千鳥配置した記録ヘッドアレイでは、各記録ヘッドの各被接続端とＩＣチップとの間を各電気配線部材を用いて電気的にそれぞれ接続している。詳細には、矩形の記録ヘッドには記録ヘッドの短辺部に沿った方向に長辺部の一部から突起した突起部が設け、この突起部が各記録ヘッド間に挟まれるよう各記録ヘッドを配置している。そして、各記録ヘッドの各被接続端子に各外部接続端子を電気的にそれぞれ接続した各電気配線部材は、接続箇所から突起部まで引き出され、上記突起部で支持されてから上方へ引き出されてＩＣチップと電気的にそれぞれ接続されている。
【発明の概要】
【発明が解決しようとする課題】
【０００７】
しかしながら、上記特許文献１では、電気配線部材の外部接続端子が記録ヘッドの被接続端子に電気的に個別に接続されているので、既に接続された電気配線部材が他の電気配線部材の接続作業の邪魔になり、接続作業の障害となっていた。このため、記録ヘッドの被接続端子と電気配線部材の外部接続端子との接続が不良となる虞があった。
【０００８】
本発明は以上の問題点に鑑みなされたものであり、その目的は、液滴吐出ヘッドの被接続端子と電気配線部材の外部接続端子との接続の良化を図ることができる液滴吐出ヘッドアレイ及びこれを備えた画像形成装置を提供することである。
【課題を解決するための手段】
【０００９】
上記目的を達成するために、請求項１の発明は、ノズルから液滴を吐出する矩形の液滴吐出ヘッドに、該液滴吐出ヘッドの短辺部に沿った方向に長辺部の一部から突起する突起部を設け、前記突起部が前記液滴吐出ヘッドの長辺部に沿った方向に並ぶように複数の液滴吐出ヘッドを配列する液滴吐出ヘッドアレイであって、別体の電気配線部材の外部接続端子と電気的に接続する被接続端子が前記液滴吐出ヘッドに設けられている液滴吐出ヘッドアレイにおいて、前記被接続端子を前記突起部に設け、前記突起部が設けられている長辺部が向き合うように前記液滴吐出ヘッド同士を対向させるとともに、対向させて配置した前記液滴吐出ヘッドの前記被接続端子同士が同一直線上に並ぶように前記複数の液滴吐出ヘッドを配列したことを特徴とするものである。
また、請求項２の発明は、請求項１記載の液滴吐出ヘッドアレイにおいて、前記被接続端子同士が前記液滴吐出ヘッドの長辺部に沿った方向に並ぶように配列することを特徴とするものである。
更に、請求項３の発明は、請求項２記載の液滴吐出ヘッドアレイにおいて、前記各液滴吐出ヘッドを互い違いに配置することを特徴とするものである。
また、請求項４の発明は、請求項１記載の液滴吐出ヘッドアレイにおいて、前記突起部を前記液滴吐出ヘッドの長辺部の端部に設けて平面形状がＬ字形状となる前記液滴吐出ヘッドを構成することを特徴とするものである。
更に、請求項５の発明は、請求項４記載の液滴吐出ヘッドアレイにおいて、向き合う一方のＬ字形状の前記液滴吐出ヘッドの長辺部に沿った方向と平行な前記突起部の端部を、他方のＬ字形状の前記液滴吐出ヘッドの前記突起部が設けられている長辺部の端部に向き合わせて、液滴吐出ヘッド対を形成することを特徴とするものである。
また、請求項６の発明は、請求項５記載の液滴吐出ヘッドアレイにおいて、複数の前記液滴吐出ヘッド対を、前記液滴吐出ヘッド対の長手方向に沿って平行に配置することを特徴とするものである。
更に、請求項７の発明は、請求項５記載の液滴吐出ヘッドアレイにおいて、複数の前記液滴吐出ヘッド対を、前記液滴吐出ヘッド対の長手方向に沿って互い違いに配置することを特徴とするものである。
また、請求項８の発明は、請求項１記載の液滴吐出ヘッドアレイにおいて、前記電気配線部材の配線基板は、リジット配線基板であることを特徴とするものである。
更に、請求項９の発明は、請求項１記載の液滴吐出ヘッドアレイにおいて、前記突起部の片面又は両面に前記被接続端子を設けることを特徴とするものである。
また、請求項１０の発明は、請求項１〜９のいずれか１項に記載の液滴吐出ヘッドアレイの各液滴吐出ヘッドから記録液を吐出して記録材に画像を形成することを特徴とするものである。
【００１０】
本発明においては、ヘッドアレイ幅を増やさないようにするために、突起部が液滴吐出ヘッドの長辺部に沿った方向に並ぶように複数の液滴吐出ヘッドを配列する。そのとき、上記突起部が設けられている長辺部が向き合うように液滴吐出ヘッド同士を対向させて配置する。その対向させて配置した液滴吐出ヘッドの被接続端子同士は同一直線上に並ぶように各液滴吐出ヘッドを配列する。この同一直線上に並ぶ各被接続端子に電気的にそれぞれ接続される各外部接続端子も、各被接続端子の配置位置にそれぞれ対応づけられて設けられることから、一直線上に設けられることになる。この一直線上に並んで設けられた各外部接続端子を有する電気配線部材を使用することで、ヘッドアレイ幅を増やすことなく各液滴吐出ヘッドの各被接続端子に各外部接続端子を簡単に一括で電気的に接続することができる。これにより、液滴吐出ヘッドの被接続端子と電気配線部材の外部接続端子との接続作業が容易となり、接続の良化が図れる。
【発明の効果】
【００１１】
以上、本発明によれば、液滴吐出ヘッドの被接続端子と電気配線部材の外部接続端子との接続の良化を図ることができるという効果が得られる。
【図面の簡単な説明】
【００１２】
【図１】本実施形態におけるインクジェット方式の画像形成装置を示す説明図である。
【図２】液滴吐出ヘッドとしての記録ヘッドの電気配線側の平面図である。
【図３】第１の実施形態のインクジェット記録ヘッドアレイの構成を示す平面図である。
【図４】電気接続用外部接続コネクタ部の構成を示す平面図である。
【図５】外部接続コネクタの接続図である。
【図６】別の記録ヘッドの電気配線側の平面図である。
【図７】インクジェット記録ヘッド対の構成を示す平面図である。
【図８】第２の実施形態のインクジェット記録ヘッドアレイの構成を示す平面図である。
【図９】第２の実施形態のインクジェット記録ヘッドアレイの別の構成を示す平面図である。
【発明を実施するための形態】
【００１３】
本実施形態における液滴吐出ヘッドをインクジェット方式の画像形成装置の記録ヘッドとして利用した一例について説明する。
図１は本実施形態におけるインクジェット方式の画像形成装置を示す説明図である。同図に示す画像形成装置はライン型画像形成装置であり、装置本体２０１の内部に画像形成部２０２等を有している。そして、装置本体２０１の下方側に多数枚の記録材（用紙）２０３を積載可能な給紙トレイ２０４を備え、この給紙トレイ２０４から給紙される用紙２０３を取り込み、搬送機構２０５によって用紙２０３を搬送しながら画像形成部２０２によって所要の画像を記録した後、装置本体２０１の側方に装着された排紙トレイ２０６に用紙２０３を排紙する。
【００１４】
また、装置本体２０１に対して着脱可能な両面ユニット２０７を備え、両面印刷を行うときには、一面（表面）印刷終了後、搬送機構２０５によって用紙２０３を逆方向に搬送しながら両面ユニット２０７内に取り込み、反転させて他面（裏面）を印刷可能面として再度搬送機構２０５に送り込み、他面（裏面）印刷終了後排紙トレイ２０６に用紙２０３を排紙する。
【００１５】
ここで、画像形成部２０２は、例えばブラック（ｋ）、シアン（ｃ）、マゼンタ（ｍ）、イエロー（ｙ）の各色インクの液滴を吐出する、フルライン型の４個の液滴吐出ヘッドで構成した記録ヘッド２１１ｋ，２１１ｃ，２１１ｍ，２１１ｙ（色を区別しないときには「記録ヘッド２１１」という。）を備え、各記録ヘッド２１１は液滴を吐出するノズルを形成したノズル面を下方に向けてヘッドホルダ２１３に装着している。また、各記録ヘッド２１１に対応してヘッドの性能を維持回復するための維持回復機構２１２ｋ，２１２ｃ，２１２ｍ，２１２ｙ（色を区別しないときには「維持回復機構２１２」という。）を備え、パージ処理、ワイピング処理などのヘッドの性能維持動作時には、記録ヘッド２１１と維持回復機構２１２とを相対的に移動させて、記録ヘッド２１１のノズル面に維持回復機構２１２を構成するキャッピング部材などを対向させる。
【００１６】
ここでは、記録ヘッド２１１は、用紙搬送方向上流側から、イエロー、マゼンタ、シアン、ブラックの順に各色インクの液滴を吐出する配置としているが、配置及び色数はこれに限るものではない。また、ライン型ヘッドとしては、各色インクの液滴を吐出する複数のノズル列を所定間隔で設けた、１又は複数のヘッドを用いることもできるし、ヘッドとこのヘッドに記録液を供給する記録液カートリッジを一体とすることも別体とすることもできる。
【００１７】
給紙トレイ２０４の用紙２０３は、給紙コロ（半月コロ）２２１と図示しない分離パッドによって１枚ずつ分離され装置本体２０１内に給紙され、搬送ガイド部材２２３のガイド面２２３ａに沿ってレジストローラ２２５と搬送ベルト２３３との間に送り込まれ、所定のタイミングでガイド部材２２６を介して搬送機構２０５の搬送ベルト２３３に送り込まれる。また、搬送ガイド部材２２３には両面ユニット２０７から送り出される用紙２０３を案内するガイド面２２３ｂも形成されている。更に、両面印刷時に搬送機構２０５から戻される用紙２０３を両面ユニット２０７に案内するガイド部材２２７も配置している。
【００１８】
搬送機構２０５は、駆動ローラである搬送ローラ２３１と従動ローラ２３２との間に掛け渡した無端状の搬送ベルト２３３と、この搬送ベルト２３３を帯電させるための帯電ローラ２３４と、画像形成部２０２に対向する部分で搬送ベルト２３３の平面性を維持するプラテン部材２３５と、搬送ベルト２３３から送り出す用紙２０３を搬送ローラ２３１側に押し付ける押さえコロ２３６と、その他図示しないが、搬送ベルト２３３に付着した記録液（インク）を除去するためのクリーニング手段である多孔質体などからなるクリーニングローラなどを有している。この搬送機構２０５の下流側には、画像が記録された用紙２０３を排紙トレイ２０６に送り出すための排紙ローラ２３８及び拍車２３９を備えている。
【００１９】
このように構成した画像形成装置において、搬送ベルト２３３は矢示方向に周回移動し、高電位の印加電圧が印加される帯電ローラ２３４と接触することで正極性に帯電される。この場合、帯電ローラ２３４の帯電電圧は所定の時間間隔で極性を切り替えることによって、搬送ベルト２３３を所定の帯電ピッチで帯電させる。ここで、この高電位に帯電した搬送ベルト２３３上に用紙２０３が給送されると、用紙２０３内部が分極状態になり、搬送ベルト２３３上の電荷と逆極性の電荷が用紙２０３の搬送ベルト２３３と接触している面に誘電され、搬送ベルト２３３上の電荷と搬送される用紙２０３上に誘電された電荷同士が互いに静電的に引っ張り合い、用紙２０３は搬送ベルト２３３に静電的に吸着される。このようにして、搬送ベルト２３３に強力に吸着した用紙２０３は反りや凹凸が校正され、高度に平らな面が形成される。そして、搬送ベルト２３３を周回させて用紙２０３を移動させ、記録ヘッド２１１から液滴を吐出することで、用紙２０３上に所要の画像が形成され、画像が記録された用紙２０３は排紙ローラ２３８によって排紙トレイ２０６に排紙される。
【００２０】
この画像形成装置においては、液滴吐出ヘッドからなる記録ヘッド２１１を備えているので、高い信頼性が得られる記録ヘッドを用いて高速で画像を形成することができる。なお、本実施形態では、本発明に係る液滴吐出ヘッドをプリンタ構成の画像形成装置に適用した例で説明したが、これに限るものではなく、例えば、プリンタ／ファックス／これらの複合機などの画像形成装置に適用することができる。また、狭義のインク以外の液体や定着処理液などを用いる画像形成装置あるいは画像形成装置以外の装置にも適用することができる。
【００２１】
図２はインクジェット記録ヘッドの電気配線側の平面図である。同図は記録ヘッドの電気配線側の平面図である。記録ヘッド１０では、インク滴を吐出するノズルが設けられたノズル面の反対側の面に電気配線を施している。記録ヘッドと一体の支持部１１上に短辺部に沿った方向に突起する突起部を有する電気配線基板１２を配置し、電気配線基板１２の突起部上に電気的な被接続端子である被外部接続コネクタ１３を配置する構成になっている。図２に示す突起部は電気配線基板１２のほぼ中央部から短辺部に沿った方向に突起している。
【００２２】
図３は第１の実施形態のインクジェット記録ヘッドアレイの構成を示す平面図である。同図に示すインクジェット記録ヘッドアレイ（以下記録ヘッドアレイと称す）２０は、インク滴を紙などの媒体に吐出させて文字や画像等を記録する画像形成装置の記録ヘッドを複数組み合わせて構成される。図３に示す記録ヘッドアレイ２０の構成は、支持ベース２１上にＭ個の図２の記録ヘッド１０−１〜１０−Ｍ（Ｍは正の整数）が互い違いに配置する、いわゆる千鳥状に配置されている。記録ヘッド１０−１〜１０−Ｍの長辺部に沿った方向と直交する短辺部の方向に突起した各突起部に設けられた被接続端子である被外部接続コネクタ１３−１〜１３−Ｍは長辺部に沿った方向に図中一点鎖線で示す同一直線上に配置される。一方、図４に示すように、外部接続端子である電気接続用外部接続コネクタ部３０は、各被外部接続コネクタ１３−１〜１３−Ｍとそれぞれ電気的に接続する外部接続コネクタ３１−１〜３１−Ｍを同一直線上に並べ剛体の電気配線基板３２に配置して構成されている。これにより、図５に示すように、記録ヘッドアレイ２０における同一直線上に配置された被外部接続コネクタ１３−１〜１３−Ｍに、上方から、電気接続用外部接続コネクタ部３０の同一直線上に配置され、各被外部接続コネクタ１３−１〜１３−Ｍに対応する外部接続コネクタ３１−１〜３１−Ｍを一括で電気的に接続する。これにより、接続工程の所要時間を短縮できる。
【００２３】
また、接続工程後において、外部接続コネクタ３１−１〜３１−Ｍとの接続で外部接続コネクタ部３０の一端は固定され、外部接続コネクタ部３０の他端は電気配線基板３２の剛性により自由端とはならない。これにより、電気配線基板３２の面から延びた外部接続コネクタ部３０以外の空間を確保されるため、外部接続コネクタ部３２の影響を少なくでき、組立作業及び組付け作業を効率よく行うことができる。これにより、組立及び組付けの良化を図ることできる。外部接続コネクタ３１−１〜３１−Ｍの電気配線基板３１への配置としては、片側面への配置と両側面への配置の２つの方法が考えられる。また、この時のインクジェット記録ヘッド側の被外部接続コネクタ１３−１〜１３−Ｍには、両面端子タイプが好ましいが、取付方向により片面端子タイプに変えることにより片面端子タイプコネクタの使用も可能である。
【００２４】
図４に示す外部接続コネクタ部３０は、電気配線基板３１に外部接続コネクタ部３１−１〜３１−Ｍが配置された構成になっている。電気配線基板３１及び外部接続コネクタ３１−１〜３１−Ｍは、フレキシブル配線基板、リジット基板及びモールドコネクタが使用可能である。また、インクジェット記録ヘッド１０側の電気接続コネクタ１３−１〜１３−Ｍと、外部接続コネクタ部３０側の電気接続コネクタ３１−１〜３１−Ｍの雄側又は雌側を入れ替えても得られる効果は同一であることは、言うまでもない。
【００２５】
図６は本実施形態における別の記録ヘッドの電気配線側の平面図である。同図に示すインクジェット記録ヘッド４０はインクジェット記録ヘッドと一体の支持部４１上に短辺部に沿った方向に突起する突起部を有する電気配線基板４２を配置し、電気配線基板４２の突起部上に被外部接続コネクタ４３を配置する構成になっている。そして、電気配線基板４２の突起部は電気配線基板４２の長辺部のいずれかの一端側に片寄って配置され、電気配線基板４２全体の平面形状は略Ｌ字となる。
【００２６】
図７はインクジェット記録ヘッド対の構成を示す平面図である。同図に示すように、インクジェット記録ヘッド対５０は、２つの略Ｌ字形状の記録ヘッド４０−１、４０−２を突起部側で互いに対向し合わせて組み合わせて構成されている。また、インクジェット記録ヘッド対５０では、電気配線基板４２−１、４２−２の突起部上に設けられた被外部接続コネクタ４３−１、４３−２が長手方向に同一直線上に配置する構成になっている。そして、複数のインクジェット記録ヘッド対５０−１〜５０−Ｍを図８に示すように支持ベース５１上に長手方向に配置することで、インクジェット記録ヘッドアレイ６０を構成している。図７に示すような記録ヘッド４０−１、４０−２が互いに正対する必要はなく、正対位置から長手方向にずらして互い違いに配置してもよい。そして、Ｍ個のインクジェット記録ヘッド対５０−１〜５０−Ｍが配置されたとき、被外部接続コネクタ４３−１〜４３−Ｍは長手方向に同一直線上に配置されている。図４の外部接続コネクタ部３０の外部接続コネクタ３１−１〜３１−Ｍが、一括で各被外部接続コネクタ４３−１〜４３−Ｍにそれぞれ電気的に接続される。これにより、接続作業が短時間に、かつ容易に行うことができる。
【００２７】
図９は第２の実施形態のインクジェット記録ヘッドアレイの別の構成を示す平面図である。同図に示すインクジェット記録ヘッドアレイ７０は、支持ベース７１上に、図８の複数のインクジェット記録ヘッド対５０−１〜５０−Ｍを、互い違いに配置した、いわゆる千鳥配置した構成になっている。そして、インクジェット記録ヘッド対５０−１〜５０−Ｍの被外部接続コネクタ（図示せず）は長手方向に同一直線上に配置されている。図４の外部接続コネクタ部３０の外部接続コネクタ３１−１〜３１−Ｍが、一括で各被外部接続コネクタにそれぞれ電気的に接続される。これにより、接続作業が短時間に、かつ容易に行うことができる。
【００２８】
以上説明したように、実施形態によれば、図２に示すように、矩形のインクジェット記録ヘッドの長辺部に沿った方向と直交する短辺部に沿った方向に突起している突起部に、電気的な外部接続を目的とした被接続端子である被外部接続コネクタ１３を配置する。そして、図３に示すように、インクジェット記録ヘッドを、各突起部が設けられている長辺部の端部を向き合わせて長辺部に沿った方向に互い違いに配置させる。そして、各突起部に設けられた外部接続を目的とした被外部接続コネクタ１３−１〜１３−Ｍが長辺部に沿った方向の同一直線上に並ぶように、各インクジェット記録ヘッドを配置する。このため、同一直線上に並んだ外部接続コネクタ３１を有する外部接続コネクタ部３０をインクジェット記録ヘッドアレイの上部より一括で被外部接続コネクタ１３−１〜１３−Ｍにそれぞれコネクタ接続が可能となる。これにより、接続状態の良化が図れる。
【符号の説明】
【００２９】
１０  記録ヘッド
１１  支持部
１２  電気配線基板
１３  被外部接続コネクタ
１３−１〜１３−Ｍ  被外部接続コネクタ
２０  インクジェット記録ヘッドアレイ
２１  支持ベース
３０  外部接続コネクタ部
３１−１〜３１−Ｍ  外部接続コネクタ
３２  電気配線基板
４０  インクジェット記録ヘッド
４０−１、４０−２  インクジェット記録ヘッド
４１  支持部
４２  電気配線基板
４２−１、４２−２  電気配線基板
４３  被外部接続コネクタ
４３−１〜４３−Ｍ  被外部接続コネクタ
５０  インクジェット記録ヘッド対
５０−１〜５０−Ｍ  インクジェット記録ヘッド対
６０  インクジェット記録ヘッドアレイ
７０  インクジェット記録ヘッドアレイ
【先行技術文献】
【特許文献】
【００３０】
【特許文献１】特開２００６−２４８１１２号公報
【図１】
0005818136.tif 000002
【図２】
0005818136.tif 000003
【図３】
0005818136.tif 000004
【図４】
0005818136.tif 000005
【図５】
0005818136.tif 000006
【図６】
0005818136.tif 000007
【図７】
0005818136.tif 000008
【図８】
0005818136.tif 000009
【図９】
0005818136.tif 000010